(57)【要約】  開示されるのは、ネットワーク端部デバイスのバックアップを円滑化する為のシステム装置及びデバイスである。監視回路は、ネットワーク端部デバイスの電力ラインの動作不能電力状態（ＩＥＰＣ）を検出しても良い。ＩＥＰＣが検出されると、バックアップ電源は、端部デバイスへ電力を供給しても良い。端部デバイスとパケット受信側間の接続性不良が検出されると、パケット受信側エミュレータは、端部デバイスのパケット受信側をエミュレートしても良い。
2016504814.tif 000002
【特許請求の範囲】
【請求項１】
電力ラインの動作不能電力状態（ＩＥＰＣ）を検出する為のカメラ電力ライン監視回路と、
動作不能電力状態（ＩＥＰＣ）が検出されるとカメラへ電力を供給するバックアップ電源と、
ビデオカメラとビデオパケット受信側間の接続性不良が検出されると前記ビデオカメラの前記ビデオパケット受信側をエミュレートするように構成されたビデオパケット受信側エミュレータと、
を備える、ビデオカメラバックアプ装置。
【請求項２】
動作不能電力状態（ＩＥＰＣ）は、（１）電力停止、及び／又は（２）電力低下からなるグループの１以上の状態を含む、請求項１に記載の装置。
【請求項３】
前記電力ラインは、パワーオーバイーサネット（ＰｏＥ）電力ラインである、請求項１に記載の装置。
【請求項４】
前記ＰｏＥ上での電力損失の検出は、前記ビデオカメラと前記ビデオパケット受信側間での接続性不良を示す、請求項３に記載の装置。
【請求項５】
前記ＰｏＥ上での電力損失の検出は、前記ビデオパケットエミュレータに前記ビデオパケット受信側をエミュレートすることを起動させる、請求項３に記載の装置。
【請求項６】
前記受信側エミュレータは、デジタルデータ記憶メディアを備える、請求項１に記載の装置。
【請求項７】
前記受信側エミュレータは、接続性不良検出器を備える、請求項１に記載の装置。
【請求項８】
前記バックアップ電源は、再充電可能バッテリであり、前記ＰｏＥラインからの電力が前記再充電可能バッテリを充電する為に用いられる、請求項３に記載の装置。
【請求項９】
動作不能電力状態（ＩＥＰＣ）が検出されると前記カメラへの電力を供給するために代替のバックアップ電源として動作する補助バックアップ電源を更に備える、請求項８に記載の装置。
【請求項１０】
１以上のビデオカメラと、
前記１以上のビデオカメラからビデオパケットを受信するビデオパケット受信側と、
前記１以上のビデオパケットと前記ビデオパケット受信側との間に連結され／接続され／存在するビデオカメラバックアップ装置と、を備え、
前記ビデオカメラバックアップ装置は、（１）カメラ電力ラインの動作不能電力状態（ＩＥＰＣ）を検出する為のカメラ電力ライン監視回路と、（２）動作不能電力状態（ＩＥＰＣ）が検出されるとカメラへ電力を供給するバックアップ電源と、（３）ビデオカメラとビデオパケット受信側間の接続性不良が検出されると前記ビデオカメラの前記ビデオパケット受信側をエミュレートするように構成されたビデオパケット受信側エミュレータとを備える、
ビデオ監視システム。
【請求項１１】
動作不能電力状態（ＩＥＰＣ）は、（１）電力停止、及び／又は（２）電力低下からなるグループの１以上の状態を含む、請求項１０に記載のシステム。
【請求項１２】
前記電力ラインは、パワーオーバイーサネット（ＰｏＥ）電力ラインである、請求項１０に記載のシステム。
【請求項１３】
前記ＰｏＥ上での電力損失の検出は、前記ビデオカメラと前記ビデオパケット受信側間での接続性不良を示す、請求項１２に記載のシステム。
【請求項１４】
前記ＰｏＥ上での電力損失の検出は、前記ビデオパケットエミュレータに前記ビデオパケット受信側をエミュレートすることを起動させる、請求項１２に記載のシステム。
【請求項１５】
前記受信側エミュレータは、デジタルデータ記憶メディアを備える、請求項１０に記載のシステム。
【請求項１６】
前記受信側エミュレータは、接続性不良検出器を備える、請求項１０に記載のシステム。
【請求項１７】
バックアップバッテリを充電する為のＰｏＥラインと、
動作不能電力状態（ＩＥＰＣ）を検出する為のＰｏＥライン監視回路と、
動作不能電力状態（ＩＥＰＣ）が検出されるとＰｏＥ経由でＰｏＥ端部デバイスへ電力を供給する前記バックアップバッテリと、
を備える、端部デバイス電力バックアップ装置。
【請求項１８】
動作不能電力状態（ＩＥＰＣ）が検出されると前記端部デバイスのパケット受信側をエミュレートするように構成されたパケット受信側エミュレータを更に備える、請求項１７に記載の装置。
【請求項１９】
動作不能電力状態（ＩＥＰＣ）は、（１）電力停止、及び／又は（２）電力低下からなるグループの１以上の状態を含む、請求項１７に記載の装置。
【請求項２０】
前記ＰｏＥ上での電力損失の検出は、前記端部デバイスと前記端部デバイスパケット受信側間での接続性不良を示す、請求項１８に記載の装置。
【請求項２１】
前記ＰｏＥ上での電力損失の検出は、前記パケット受信側エミュレータに前記パケット受信側をエミュレートすることを起動させる、請求項１８に記載の装置。
【請求項２２】
前記受信側エミュレータは、デジタルデータ記憶メディアを備える、請求項１８に記載の装置。
【請求項２３】
バックアップバッテリを充電する為のＰｏＥラインと、
動作不能電力状態（ＩＥＰＣ）を検出する為のＰｏＥライン監視回路と、
前記バックアップの電圧を繰り返しブーストする為のバッテリ電圧ブースタと、
動作不能電力状態（ＩＥＰＣ）が検出されると、前記ＰｏＥラインの入力電力から前記バックアップバッテリの前記ブーストされた電力へ切り替える為の電気ＯＲロジックゲートと、
を備える、端部デバイス電力バックアップ装置。
【発明の詳細な説明】
【技術分野】
【０００１】
本発明は、一般には、パワー・オーバ・イーサネット（登録商標）（以下、‘ＰｏＥ’）、及び、端部デバイス容易化の為のネットワーク機器に関する。より詳細には、本発明は、ネットワーク端部デバイスのバックアップ及び連続的な動作を円滑化する為のシステム装置及びデバイス、及びそれらを動作させる方法に関する。
【背景技術】
【０００２】
インターネットプロトコルカメラ、すなわちＩＰカメラは、監視の為に一般に用いられるタイプのカメラであり、アナログの閉回路テレビジョン（ＣＣＴＶ）カメラと異なり、コンピュータネットワーク及びインターネット経由でデータを送受信することができる。このような動作を行うたいていのカメラがウェブカメラであるけれども、“ＩＰカメラ”又は“ネットカメラ（netcam）”との用語は、通常、監視に用いられるカメラのみに適用される。
【０００３】
ＩＰカメラには２つの種類がある：
【０００４】
記録すること、及び映像及びアラーム管理を取り扱う為の中央ネットワークビデオレコーダ（ＮＶＲ）を必要とする、集中型ＩＰカメラ。
【０００５】
内蔵の記録機能を有し、フラッシュドライブ、ハードディスクデバイス、又はネットワーク接続される記憶装置などのデジタル記憶メディアに直接記録することができるので、中央ネットワークビデオレコーダ（ＮＶＲ）を必要としない分散型ＩＰカメラ。
【０００６】
最初の集中型ＩＰカメラは、アクシス・コミュニケーションズ（Axis Communications）によって１９９６年にリリースされた。それは、Axis Neteye 200と称され、Martin Gren及びCarl-Alex Almのチームによって開発された。１９９６年の終わり、この会社は、カメラを動作させるための組み込み型のリナックス（登録商標）を使用し始めた。それについて、アクシスは、また、“ＶＡＰＩＸ”と称される低レベルＡＰＩの文書をリリースした。このＡＰＩは、ＨＴＴＰ及びリアルタイムストリーミングプロトコル（ＲＴＳＰ）の公開スタンダードを利用するものである。この公開アーキテクチャは、サードパーティのソフトウェア製造者に対し、管理及び記録の互換ソフトウェアを開発することを奨励することを意図していた。
【０００７】
最初の分散型ＩＰカメラは、Mobotixによって１９９９年にリリースされた。このカメラのリナックスシステムは、映像、アラーム及び記録管理機能を含んでおり、したがって、カメラシステムは、記録、及びイベント及び映像を管理するための、ライセンスされた映像管理ソフトウェアを必要としなかった。
【０００８】
オンボードビデオコンテンツ分析（ＶＣＡ）を持つ最初のＩＰカメラは、Intellioによって２００５年にリリースされた。このカメラは、対象物が盗まれた、ヒトがラインを超えた、ヒトが所定のゾーンに入った、車が誤った道を走ったといった、多数の異なるイベントを検出することができる。
【０００９】
ＩＰカメラは、０．３（ＶＧＡ解像度）から２０メガピクセルの解像度で利用時可能である。顧客ＴＶビジネスと同様に、２１世紀はじめには、ハイデフィニション映像解像度、例えば７２０ｐ又は１０８０ｉ及び１６：９ワイドスクリーンフォーマットへのシフトがあった。
【００１０】
上記を考慮に入れると、ネットワーク及びＩＰカメラの分野では、ネットワークカメラ及び他のネットワーク端部デバイスが様々な電力、通信、記憶、及び改ざんの状況に対処しながら、それらの動作を続けることを可能にすることができる、ネットワークカメラバックアップ及び他のネットワーク端部デバイスのバックアップの為のいっそう効率的なシステム、装置、デバイス、及び方法についての必要性が明らかに存続している。
【発明の概要】
【００１１】
以下では、ネットワーク端部デバイス（例えば、カメラ）バックアップを円滑化する為のシステム装置及びデバイス、及びそれらを動作させる方法についての多数の新規で革新的な特徴が記載される。
【００１２】
本発明のいくつかの実施形態によれば、ネットワークカメラバックアップを円滑化する為の装置／デバイスは、（例えば、カメラ筐体内の又はそれに隣接する）ネットワークカメラと、データが通信され及びカメラへの標準の電力（例えば、ＰｏＥとしてのデータ及び電力）が供給されるネットワーク側との間に配置されても良い。
【００１３】
本発明のいくつかの実施形態によれば、ネットワークカメラバックアップを円滑化する為の装置／デバイスは、ＰｏＥ供給のデータと電力接続を分ける為の、装置／デバイスのネットワーク側にある第１のＰｏＥスプリッタ／アダプタ；品質を管理し及び標準電源により供給される電力の電気的パラメータを抽出する為の電力監視モジュール；抽出された電気的パラメータに基づいて電力品質に低下が起きたか否かを決定し、それぞれの電源切替えコマンドを発行する決定ロジック；偶発事故時電源を充電する為の充電回路と、決定ロジックからの電源切替えコマンドに応じて標準電源から偶発事故時電源に切り替えるバックアップ供給回路とを備える電力管理モジュール；及び、分離されたデータ接続及び偶発事故時電源の電力接続を結合し、ＰｏＥとしてカメラに中継する為の、装置／デバイスのカメラ側にある第２のＰｏＥスプリッタ／アダプタを備える。
【００１４】
本発明のいくつかの実施形態によれば、ネットワークカメラバックアップを円滑化する為の装置／デバイスは、ネットワークカメラの筐体内、及び／又は、筐体の外部においておそらくはカメラのネットワーク側でそれに実質的に隣接して配置される独立ユニットとして実施されても良い。いくつかの実施形態によれば、ネットワークカメラバックアップを円滑化する為の装置／デバイスは、装置の構成部品の少なくともいくつかが統合され、及び／又は、他のカメラ動作関連機能をも処理するカメラ回路基板（例えば、メイン回路基板）に組み込まれるように、統合型の又は部分的統合型のネットワークカメラの部分として実施されても良い。以下で記載されるあらゆる特徴又はそれらの一部が、統合型のカメラバックアップ機能を備えるネットワークカメラ、及び／又は、ネットワークカメラに機能的に関連付けられた独立型のネットワークカメラバックアップ装置のいずれかによって少なくとも部分的に実施されても良い。
【００１５】
また、本発明は、様々なインフラストラクチャ、電力、通信、及びケーブル環境において実施されても良い。したがって、異なる物理的メディア間の切り替えの為の、及び／又はアナログ信号／データをデジタルフォーマットに変換する為及びその逆の為の様々な種類のメディアコンバータが、本発明したがう装置の多くの接続構成の一部として用いられても良い。いくつかの例示的な実施形態によれば、メディアコンバータは、ファイバーオプティクス、Ｃｏａｘ、ＲＪ４５、及び／又は今日知られ又は将来案出される他のあらゆるタイプのデータ搬送メディア（例えば、ケーブル）上を進行する信号を、電力を供給する為にも用いられるイーサネット互換メディア（例えば、ＰｏＥ）に変換しても良い。したがって、ネットワークカメラバックアップを円滑化する装置／デバイスは、ネットワーク側において、他のメディアタイプのネットワークデータ信号をイーサネット上信号に変換するメディアコンバータ；及び／又は、カメラ側において、他のメディアタイプのカメラデータ信号をイーサネット上信号に変換するメディアコンバータを備えていても良い。
【図面の簡単な説明】
【００１６】
本発明とみなされる主題は、本明細書の結びの部分に詳しく示され、明確に主張される。しかしながら、本発明は、添付の図面と共に読まれるとき、目的、特徴及び有利な点と共に、構成及び動作についての方法として、以下の詳細な記述によって最もよく理解されるであろう。
【００１７】
【図１】図１は、本発明のいくつかの実施形態による、ネットワークカメラバックアップを円滑化する為の例示的なシステムのメインモジュール及び動作ステップを示すブロック図である。
【図２】図２は、本発明のいくつかの実施形態による、偶発事故時電源として再充電可能バッテリを備える、ネットワークカメラバックアップを円滑化する為の例示的なシステムのメインモジュール及び動作ステップを示すブロック図である。
【図３】図３は、本発明のいくつかの実施形態による、ローカルデータ記憶モジュールを備える、ネットワークカメラバックアップを円滑化する為の例示的なシステムのメインモジュール及び動作ステップを示すブロック図である。
【図４】図４は、本発明のいくつかの実施形態による、無線アクセスされるローカルデータ記憶モジュールを備える、ネットワークカメラバックアップを円滑化する為の例示的なシステムのメインモジュール及び動作ステップを示すブロック図である。
【図５】図５は、本発明のいくつかの実施形態による、ネットワークカメラバックアップを円滑化する為の例示的なシステムのメインモジュール及び動作ステップを示すブロック図であり、本システムでは、より多い保存すべきデータを可能にする為、又は、いっそう長いカメラ動作期間の保存すべきデータの為に、保存されるデータの品質が低下される。
【図６】図６は、本発明のいくつかの実施形態による、ネットワークカメラバックアップを円滑化する為の例示的なシステムのメインモジュール及び動作ステップを示すブロック図であり、本システムは、電力品質の低下の結果として、標準の（例えば、有線の）通信から無線の（例えば、Ｗｉ−Ｆｉ、携帯電話）通信へ切り替える。
【図７】図７は、本発明のいくつかの実施形態による、ネットワークカメラバックアップを円滑化する為の例示的なシステムのメインモジュール及び動作ステップを示すブロック図であり、本システムは、ネットワーク接続品質の低下の結果として、標準の（例えば、有線の）通信から無線の（例えば、Ｗｉ−Ｆｉ、携帯電話）通信へ切り替える。
【図８】図８は、本発明のいくつかの実施形態による、ネットワークカメラバックアップを円滑化する為の例示的なシステムのメインモジュール及び動作ステップを示すブロック図であり、本システムでは、電力品質の低下の結果として、携帯電話通知／警報が、ネットワークカメラアドミニストレータの移動通信デバイスに送信される。
【図９】図９は、本発明のいくつかの実施形態による、ネットワークカメラバックアップを円滑化する為の、カメラ電力消費監視モジュールを備える、例示的なシステムのメインモジュール及び動作ステップを示すブロック図であり、本システムでは、カメラによる消費が無い／低い場合、携帯電話通知／警報が移動通信デバイスに送信される。
【図１０】図１０は、本発明のいくつかの実施形態による、ネットワークカメラバックアップを円滑化する為の例示的なシステムのメインモジュール及び動作ステップを示すブロック図であり、本システムでは、ネットワークカメラアドミニストレータの移動通信デバイスからの電力停止コマンドの結果として、カメラへの電力供給が一時的に停止／低下される。
【図１１】図１１は、本発明のいくつかの実施形態による、ネットワークカメラバックアップを円滑化する為の例示的なシステムのメインモジュール及び動作ステップを示すブロック図であり、本システムでは、カメラへの電力供給は、カメラ消費モジュールパラメータがカメラによる低／無電力消費を示す結果として、自動的に一時的に停止／低下されても良い。
【図１２】図１２は、本発明のいくつかの実施形態による、ネットワークカメラバックアップを円滑化する為の、監視された映像データストリームから映像パラメータを抽出する映像監視及び分析モジュールを備える、例示的なシステムのメインモジュール及び動作ステップを示すブロック図である。
【図１３】図１３は、本発明のいくつかの実施形態による、ネットワークカメラバックアップを円滑化する為の例示的なシステムのメインモジュール及び動作ステップを示すブロック図であり、本システムでは、ネットワークカメラアドミニストレータの移動通信デバイスからの制御コマンドに基づく‘映像パラメータデータ’がカメラへ中継される。
【図１４】図１４は、本発明のいくつかの実施形態による、ネットワークカメラバックアップを円滑化する為の例示的なシステムのメインモジュール及び動作ステップを示すブロック図であり、本システムでは、カメラの監視された映像データストリームから抽出された映像パラメータと当該カメラの‘動作パラメータプロファイル’との比較に基づいて、制御コマンドがカメラへ中継される。
【図１５Ａ】図１５Ａ及び図１５Ｂは、本発明のいくつかの実施形態による、ネットワークカメラバックアップを円滑化する為の例示的なシステムのメインモジュール及び動作ステップを示すブロック図であり、本システムでは、電気的ＯＲロジックゲートは、ブーストされたバッテリ電力（１５Ｂ）とＰｏＥ入力電力（１５Ａ）間で切り替えを行う。
【図１５Ｂ】図１５Ａ及び図１５Ｂは、本発明のいくつかの実施形態による、ネットワークカメラバックアップを円滑化する為の例示的なシステムのメインモジュール及び動作ステップを示すブロック図であり、本システムでは、電気的ＯＲロジックゲートは、ブーストされたバッテリ電力（１５Ｂ）とＰｏＥ入力電力（１５Ａ）間で切り替えを行う。
【図１６】図１６は、本発明のいくつかの実施形態による、ネットワークカメラバックアップを円滑化する為の例示的なシステムのメインモジュール及び動作ステップを示すブロック図であり、本システムでは、メディアコンバータが、システム通信をケーブルメディアから他へ切り替える為に用いられる。
【図１７】図１７は、本発明のいくつかの実施形態による、ネットワークカメラバックアップを円滑化する為の例示的なシステムのメイン動作ステップを示すフローチャートである。
【図１８】図１８は、本発明のいくつかの実施形態による、ネットワークカメラバックアップを円滑化する為の例示的なシステム構成のメインモジュール及び構成部品を示すブロック図である。
【発明を実施するための形態】
【００１８】
以下の詳細な記述において、本発明の完全な理解を提供する為に、多数の具体的な説明がなされる。しかしながら、当業者であれば、本発明はこれらの具体的な説明無しに実施できることを理解するであろう。他の例においては、良く知られた方法、プロシージャ、構成部品及び回路は、発明を不明瞭にすることがないように、詳細には記載されない。
【００１９】
詳細に述べられない限り、以下の議論から明らかなように、本明細書を通して“処理(processing)”、“演算（computing）”、“計算（calculating）”、“決定(determining)”や類似の用語を用いる議論は、コンピューティングシステム内のレジスタ及び／又はメモリ内において例えば電子的な量といった物理的な量として表現されたデータを操作し、及び／又は、コンピューティングシステムのメモリ、レジスタ又は他のそのような情報記憶装置、送信又は表示装置内における物理的な量として同様に表現された他のデータに変化させる、コンピュータ又はコンピューティングシステム、又は同様な電子コンピューティングデバイスの動作及び／又は処理のことを言う。
【００２０】
本発明の実施形態は、本明細書における動作を実行する装置を含んでいても良い。このような装置は、所望の目的の為に特に構成されても良く、又は、コンピュータ内に格納されるコンピュータプログラムによって選択的に動作させられ及び／又は再構成される汎用目的のコンピュータを備えていても良い。このようなコンピュータプログラムは、それに限定するものではないが、例えば、フロッピー（登録商標）ディスク、光ディスク、ＣＤ−ＲＯＭ、光磁気ディスクのようなあらゆるタイプのディスク、読み出し専用メモリ（ＲＯＭ）、ランダムアクセスメモリ（ＲＡＭ）、電子的にプログラム可能な読み出し専用メモリ（ＥＰＲＯＭ）、電子的に消去及びプログラム可能な読み出し専用メモリ（ＥＥＰＲＯＭ）、磁気又は光カード、又は電子命令を格納するのに適しコンピュータシステムバスに接続することができるあらゆるタイプの媒体といった、コンピュータ読取り可能な記憶媒体に格納されても良い。
【００２１】
本明細書に提示されるプロセスや表示は、特定のコンピュータや他の装置に本質的に関連するものではない。様々な汎用目的のシステムを、本明細書での教示にしたがうプログラムと共に用いることができ、或いは、所望の方法を実行する為のいっそう特殊化された装置を構築することが都合が良いということが証明されるであろう。様々な種類のこれらのシステムについての所望の構成は、以下の詳細な説明から明らかになるであろう。また、本発明の実施形態は、いかなる特定のプログラミング言語も参照することなく記載される。様々な種類のプログラミング言語を、本明細書に記載される本発明の教示を実施するために用いることができることが理解されるであろう。
【００２２】
本明細書に提示されるプロセスや表示は、一般にはカメラ及び／又はＩＰカメラのバックアップに向けられるけれども、それらは、いかなる特定のカメラ又は電子機器のタイプにも本質的に関連するものではない。本明細書の教示にしたがって様々な汎用目的のシステム及び／又は装置が用いられても良く、或いは、今日知られ又は将来案出される、ＰｏＥ又は非ＰｏＥのあらゆるタイプのバックアップを円滑化するために、いっそう特殊化された装置を構築することが都合が良いことが証明されるであろう。様々な種類のこれらのシステムの為の所望の構成が、以下の詳細な記述から明らかになるであろう。このような端部デバイスは、非限定的に、ＩＰカメラ、Ｗｉｆｉアプリ、ＩＰフォン、ＡＤＳＬ及びケーブルモデム、メディアコンバータ、ＩＰ ＰＢＸ、アクセス制御コントローラ及びＩＤリーダ、ＩＰインターコム、及び／又は、今日知られ又は将来案出されるあらゆるタイプの端部デバイスを含む。
【００２３】
概略
本発明は、ネットワークカメラバックアップを円滑化する為のシステム、装置及びデバイス、及びその動作の方法である。本発明のいくつかの実施形態によれば、ネットワークカメラバックアップを円滑化する為の装置／デバイスは、（例えば、カメラ筐体内の又はそれに隣接する）ネットワークカメラと、データが通信され及びカメラへの標準の電力（例えば、ＰｏＥとしてのデータ及び電力）が供給されるネットワーク側との間に配置されても良い。
【００２４】
本発明のいくつかの実施形態によれば、ネットワークカメラバックアップを円滑化する為の装置／デバイスは、ＰｏＥ供給のデータと電力接続を分ける為の、装置／デバイスのネットワーク側にある第１のＰｏＥスプリッタ／アダプタ；品質を管理し及び標準電源により供給される電力の電気的パラメータを抽出する為の電力監視モジュール；抽出された電気的パラメータに基づいて電力品質に低下が起きたか否かを決定し、それぞれの電源切替えコマンドを発行する決定ロジック；偶発事故時電源を充電する為の充電回路と、決定ロジックからの電源切替えコマンドに応じて標準電源から偶発事故時電源に切り替えるバックアップ供給回路とを備える電力管理モジュール；及び／又は、分離されたデータ接続及び偶発事故時電源の電力接続を結合し、ＰｏＥとしてカメラに中継する為の、装置／デバイスのカメラ側にある第２のＰｏＥスプリッタ／アダプタを備える。
【００２５】
本発明のいくつかの実施形態によれば、ネットワークカメラバックアップを円滑化する為の装置／デバイスは、ネットワークカメラの筐体内、及び／又は、筐体の外部においておそらくはカメラのネットワーク側でそれに実質的に隣接して配置される独立ユニットとして実施されても良い。いくつかの実施形態によれば、ネットワークカメラバックアップを円滑化する為の装置／デバイスは、装置の構成部品の少なくともいくつかが統合され、及び／又は、他のカメラ動作関連機能をも処理するカメラ回路基板（例えば、メイン回路基板）に組み込まれるように、統合型の又は部分的統合型のネットワークカメラの部分として実施されても良い。以下で記載されるあらゆる特徴又はそれらの一部が、統合型のカメラバックアップ機能を備えるネットワークカメラ、及び／又は、ネットワークカメラに機能的に関連付けられた独立型のネットワークカメラバックアップ装置のいずれかによって少なくとも部分的に実施されても良い。
【００２６】
また、本発明は、様々なインフラストラクチャ、電力、通信、及びケーブル環境において実施されても良い。したがって、異なる物理的メディア間の切り替えの為の、及び／又はアナログ信号／データをデジタルフォーマットに変換する為及びその逆の為の様々な種類のメディアコンバータが、本発明したがう装置の多くの接続構成の一部として用いられても良い。いくつかの例示的な実施形態によれば、メディアコンバータは、ファイバーオプティクス、Ｃｏａｘ、ＲＪ４５、及び／又は今日知られ又は将来案出される他のあらゆるタイプのデータ搬送メディア（例えば、ケーブル）上を進行する信号を、電力を供給する為にも用いられるイーサネット互換メディア（例えば、ＰｏＥ）に変換しても良い。したがって、ネットワークカメラバックアップを円滑化する装置／デバイスは、ネットワーク側において、他のメディアタイプのネットワークデータ信号をイーサネット上信号に変換するメディアコンバータ；及び／又は、カメラ側において、他のメディアタイプのカメラデータ信号をイーサネット上信号に変換するメディアコンバータを備えていても良い。
【００２７】
本発明のいくつかの実施形態によれば、システム／装置／デバイスは、電力サージ、スパイク、及び／又はノイズから保護する為のＡＶＲ／Ｓ（自動ボルテージレギュレータ／スタビライザ）を備えるか又はそれと関連付けられていても良い。ＡＶＲ／Ｓは、カメラ、カメラ記録データ、及び／又は他のシステム構成部品を、雷又は電力系統から発生しおそらくは損害を与える電力状況から保護する為に、本発明のシステム／装置／デバイスの一部として実施されても良い。
【００２８】
図１には、本発明のいくつかの実施形態による、ネットワークカメラバックアップを円滑化する為の例示的なシステム／装置のメインモジュール及び動作ステップが示されている。
【００２９】
偶発事故時電力及びバッテリ再充電
本発明のいくつかの実施形態によれば、偶発事故時電源はバッテリであっても良く、また、いくつかの実施形態によれば、偶発事故時電源は再充電可能バッテリであっても良い。装置／デバイスは、再充電可能バッテリの偶発事故時電源を充電する為に、標準電源（利用可能であれば）−ＰｏＥからの外部及び／又は内部電力、及び／又は、補助的電力を用いる偶発事故時電源充電モジュールを備えていても良い。いくつかの実施形態によれば、電力管理モジュールは、決定ロジックからの電力切替えコマンドに応じて、標準電源と２以上の偶発事故時電源間で切り替えを行っても良い。例えば、電力管理モジュールは、標準電源の電力品質低下に応じて、最初に補助的なバックアップ電源に切り替えを行い、補助的なバックアップ電源の電力品質低下に応じて、後に、再充電可能なバッテリバックアップ電源に切り替えを行っても良い。
【００３０】
図２には、本発明のいくつかの実施形態による、偶発事故時電源としての再充電可能バッテリと、標準電源と２つの偶発事故時電源間での切り替えの為の電力管理モジュールとを備える、ネットワークカメラバックアップを円滑化する為の例示的なシステム／装置のメインモジュール／動作ステップが示されている。
【００３１】
ローカル記憶
本発明のいくつかの実施形態によれば、決定ロジックは、抽出された電気的パラメータに基づいて電力品質の低下が生じたと決定すると、データ通信及び記憶管理モジュールに、それぞれのデータ記憶装置切替えコマンドを発行しても良い。データ通信及び記憶管理モジュールは、その応答として、標準記憶装置宛先／受信側（例えば、遠隔）からローカル記憶モジュール（例えば、ＳＤカード）への切り替えを行っても良い。いくつかの実施形態によれば、イーサネット代替（例えば、ＩＰミラー代理）が、カメラが定期的に（つまり、良好な電力品質条件下で）データを中継するネットワーク宛先／受信側（例えば、ＩＰアドレス）の代替として用いられても良い。
【００３２】
本発明のあらゆるローカル／偶発事故時／副次的な記憶モジュールは、磁気、光、読み出し専用メモリ（ＲＯＭ），ランダムアクセスメモリ（ＲＡＭ），電気的プログラム可能読み出し専用メモリ（ＥＥＰＲＯＭ）、フラッシュメモリ、及び／又は、コンピュータシステムバスに接続することが可能で、電子命令を格納する為の他のあらゆるタイプの好適なメディアを用いて実施されても良い。
【００３３】
図３には、本発明のいくつかの実施形態による、ローカルデータ記憶モジュールを備える、ネットワークカメラバックアップを円滑化する為の例示的なシステム／装置のメインモジュール及び動作ステップが示されている。
【００３４】
無線記憶装置アクセス
本発明のいくつかの実施形態によれば、決定ロジックは、抽出された電気的パラメータに基づいて電力品質の低下が生じたと決定すると、データ通信及び記憶管理モジュールに、それぞれのデータ記憶装置切替えコマンドを発行しても良い。データ通信及び記憶管理モジュールは、それに応答して、標準記憶装置宛先／受信側（例えば、遠隔）から、無線通信モジュール（例えば、Ｗｉ−Ｆi、携帯電話）を通じてアクセスされるネットワーク記憶モジュールへの切り替えを行っても良い。いくつかの実施形態によれば、イーサネット代替（例えば、ＩＰミラー代理）が、カメラが定期的に（すなわち、良好な電力品質条件下で）アクセスするネットワーク宛先／受信側（例えば、ＩＰアドレス）の代替として用いられても良い。
【００３５】
図４には、本発明のいくつかの実施形態による、無線アクセスされるネットワークデータ記憶モジュールを備える、ネットワークカメラバックアップを円滑化する為の例示的なシステム／装置のメインモジュール及び動作ステップが示されている。
【００３６】
低下データ品質記憶
本発明のいくつかの実施形態によれば、記憶スペース監視モジュールは、ローカル記憶モジュールの残り記憶スペースを断続的に監視し、残スペース表示データを決定ロジックへ中継しても良い。利用可能スペースの閾値以下への低下に応じ、決定ロジックは、データ通信及び記憶管理モジュールに、保存されるカメラデータの品質を低下する為のコマンドを発行しても良い。データ通信及び記憶管理モジュールは、それに応答して、保存されるカメラデータの品質を低下させ、それによって、利用可能記憶スペースと同様な量の、いっそう長い一時的記録保持期間を可能としても良い。
【００３７】
図５には、本発明のいくつかの実施形態による、ネットワークカメラバックアップを円滑化する為の例示的なシステム／装置のメインモジュール及び動作ステップが示されており、そこでは、より多い保存すべきデータを可能にする為、又は、いっそう長いカメラ動作期間の保存すべきデータの為に、保存されるデータの品質が低下される。
【００３８】
無線通信（電力）
本発明のいくつかの実施形態によれば、決定ロジックは、抽出された電気的パラメータに基づき電力品質の低下が発生したと決定すると、それぞれのデータ記憶切り替えコマンドをデータ通信及び記憶管理モジュールに発行しても良い。データ通信及び記憶管理モジュールは、それに応答して、標準の有線ネットワーク接続から無線通信モジュール（例えば、Ｗｉ−Ｆｉ、携帯電話）の使用への切り替えを行っても良い。いくつかの実施形態によれば、イーサネット代替（例えば、ＩＰミラー代理）は、カメラが定期的に（つまり、良好な電力品質条件下で）データを中継する、ネットワーク宛先／受信側（例えば、ＩＰアドレス）の代替として用いられても良い。
【００３９】
図６には、本発明のいくつかの実施形態による、ネットワークカメラバックアップを円滑化する為の例示的なシステム／装置のメインモジュール及び動作ステップが示されており、ここでは、システムは、電力品質の低下の結果として、標準の（例えば、有線の）通信から無線の（例えば、Ｗｉ−Ｆｉ、携帯電話）通信へ切り替える。
【００４０】
無線通信（ネットワーク）
本発明のいくつかの実施形態によれば、ネットワーク監視モジュールは、標準ネットワーク接続の品質を断続的にチェックしても良い。決定ロジックは、抽出されたネットワーク接続パラメータに基づいて標準接続が停止／不良であると決定すると、データ通信及び記憶管理モジュールにそれぞれのデータ記憶切替えコマンドを発行しても良い。データ通信及び記憶管理モジュールは、それに応答して、（停止／不良と決定された）標準の有線ネットワーク接続から無線通信モジュール（例えば、Ｗｉ−Ｆｉ、携帯電話）を用いることに切り替えても良い。いくつかの実施形態によれば、イーサネット代替（例えば、ＩＰミラー代理）は、カメラが定期的に（すなわち、良好なネットワーク接続条件下で）データを中継するネットワーク宛先／受信側（例えば、ＩＰアドレス）の為の代替として用いられても良い。
【００４１】
図７には、本発明のいくつかの実施形態による、ネットワークカメラバックアップを円滑化する為の例示的なシステム／装置のメインモジュール及び動作ステップが示されており、ここでは、システムは、ネットワーク接続品質の低下の結果として、標準の（例えば、有線の）通信から無線の（例えば、Ｗｉ−Ｆｉ、携帯電話）通信へ切り替える。
【００４２】
携帯電話電力停止警報
本発明のいくつかの実施形態によれば、決定ロジックは、抽出された電気的パラメータに基づいて電力品質の低下が生じたと決定すると、データ通信及び記憶管理モジュールにそれぞれの電力品質低下通知／警報を発行しても良い。データ通信及び記憶管理モジュールは、それに応答して、無線通信モジュール（例えば、Ｗｉ−Ｆｉ、携帯電話）を用いて、電力品質の低下の携帯電話通知／警報をカメラ管理デバイス（例えば、移動通信デバイス）に送信する。いくつかの実施形態によれば、イーサネット代替（例えば、ＩＰミラー代理）が、カメラが定期的に（すなわち、良好なネットワーク接続条件下で）データを中継するネットワーク宛先／受信側（例えば、ＩＰアドレス）の為の代替として用いられても良い。
【００４３】
図８には、本発明のいくつかの実施形態による、ネットワークカメラバックアップを円滑化する為の例示的なシステム／装置のメインモジュール及び動作ステップが示されており、ここでは、電力品質の低下の結果として、携帯電話通知／警報が、ネットワークカメラアドミニストレータの移動通信デバイスに送信される。
【００４４】
カメラ電力消費
本発明のいくつかの実施形態によれば、電力消費モジュールは、カメラの電力消費特性を断続的に監視し、電力消費関連パラメータを抽出しても良い。決定ロジックは、抽出された電力消費パラメータに基づいてカメラにより消費されている電力が低い又は無いと決定すると、データ通信及び記憶管理モジュールに、それぞれの低／無カメラ電力消費通知／警報を発行しても良い。データ通信及び記憶管理モジュールは、それに応答して、無線通信モジュール（例えば、Ｗｉ−Ｆｉ、携帯電話）を用いて、低／無カメラ電力消費の携帯電話通知／警報をカメラ管理デバイス（例えば、移動通信デバイス）に送信しても良い。いくつかの実施形態によれば、イーサネット代替（例えば、ＩＰミラー代理）が、カメラが定期的に（すなわち、良好なネットワーク接続条件下で）データを中継するネットワーク宛先／受信側（例えば、ＩＰアドレス）の為の代替として用いられても良い。
【００４５】
図９には、本発明のいくつかの実施形態による、ネットワークカメラバックアップを円滑化する為の、カメラ電力消費監視モジュールを備える、例示的なシステム／装置のメインモジュール及び動作ステップが示されており、ここでは、カメラによる消費が無い／低い場合、携帯電話通知／警報が移動通信デバイスに送信される。
【００４６】
カメラ電力停止
本発明のいくつかの実施形態によれば、カメラ管理デバイス（例えば、移動通信デバイス）は、（例えば、無線通信モジュールから低／無カメラ電力消費を受信すると）無線通信モジュールを通じてカメラ電力停止コマンドを送信しても良い。カメラ電力停止コマンドは、カメラへの電力供給を停止／低下させることによってカメラに一時的に無／低電力が供給されるようにする為に電力管理モジュールへ対応のコマンドを発行することができる決定ロジックへ中継されても良い。
【００４７】
図１０には、本発明のいくつかの実施形態による、ネットワークカメラバックアップを円滑化する為の例示的なシステム／装置のメインモジュール及び動作ステップが示されており、ここでは、ネットワークカメラアドミニストレータの移動通信デバイスからの電力停止コマンドの結果として、カメラへの電力供給が一時的に停止／低下される。
【００４８】
カメラ自動電力リセット
本発明のいくつかの実施形態によれば、決定ロジックは、カメラによる低／無消費を示すカメラ消費パラメータを受信すると、及び／又はプリセット又は動的に設定されるタイマからの／による一時的な表示／トリガに基づいて、カメラをリセット／再スタート／ブートする為に、及び／又はカメラへの電力供給を一時的に停止／低下する為に対応のコマンドを自動的に発行しても良い。
【００４９】
図１１には、本発明のいくつかの実施形態による、ネットワークカメラバックアップを円滑化する為の、例示的なシステム／装置のメインモジュール及び動作ステップが示されており、ここでは、カメラへの電力供給は、カメラ消費モジュールパラメータがカメラによる低／無電力消費を示す結果として、自動的に一時的に停止／低下されても良い。
【００５０】
カメラ映像パラメータ
本発明のいくつかの実施形態によれば、映像監視及び分析モジュールは、カメラから受信した映像データストリームを監視しても良い。映像パラメータ（解像度、品質、フォーカシング、視野）が抽出され、決定ロジックへ中継されても良い。映像パラメータは、おそらく最初の処理段階に続いて、無線通信モジュールを通してカメラ管理デバイス（例えば、移動通信デバイス）に通信されても良い。
【００５１】
図１２には、本発明のいくつかの実施形態による、ネットワークカメラバックアップを円滑化する為の、監視された映像データストリームから映像パラメータを抽出する映像監視及び分析モジュールを備える、例示的なシステム／装置のメインモジュール及び動作ステップが示されている。
【００５２】
カメラ制御
本発明のいくつかの実施形態によれば、カメラ管理デバイス（例えば、移動通信デバイス）は、（例えば、無線通信モジュールから受信した映像パラメータに基づいて）無線通信モジュールを通じてカメラ制御コマンドを送信しても良い。カメラ制御モジュールは、制御ロジックからコマンドを受信し、それらをカメラへ中継しても良い。
【００５３】
図１３には、本発明のいくつかの実施形態による、ネットワークカメラバックアップを円滑化する為の、例示的なシステム／装置のメインモジュール及び動作ステップが示されており、ここでは、ネットワークカメラアドミニストレータの移動通信デバイスからの制御コマンドに基づく‘映像パラメータデータ’がカメラへ中継される。
【００５４】
カメラプロフィアルパラメータ
本発明のいくつかの実施形態によれば、映像監視及び分析モジュールによって抽出され決定ロジックへ中継された映像パラメータ（例えば、解像度、品質、フォーカシング、視野）は、決定ロジックによって、監視されるカメラの‘動作パラメータプロファイル’と比較されても良い。いくつかの実施形態によれば、決定ロジックは、当該カメラの‘動作パラメータプロファイル’との比較に少なくとも部分的に基づいて、カメラ制御モジュールにコマンドを発行しても良く、そのコマンドはそこからカメラへ送られる。
【００５５】
図１４には、本発明のいくつかの実施形態による、ネットワークカメラバックアップを円滑化する為の、例示的なシステム／装置のメインモジュール及び動作ステップが示されており、ここでは、カメラの監視された映像データストリームから抽出された映像パラメータと当該カメラの‘動作パラメータプロファイル’との比較に基づいて、制御コマンドがカメラへ中継される。
【００５６】
ゼロ電力低下
本発明のいくつかの実施形態によれば、バッテリ等の偶発事故時電源からの電力は、スタンバイモードに留まる間に、バッテリ電圧ブースタによって繰り返しブーストされても良い（図１５Ａ）。ＰｏＥ入力電力の低下は、電気的ＯＲロジックゲートに、ＰｏＥ入力電力からブーストされた偶発事故時電源への切り替えを起こさせる（図１５Ｂ）。いくつかの実施形態によれば、電力を供給されるカメラ及び／又は端部デバイスが感知する電力低下は無いか又はわずか無視できるほどだけであるように、電力は実質的に即座に切り替えられても良い。
【００５７】
図１５Ａ及び１５Ｂには、本発明のいくつかの実施形態による、ネットワークカメラバックアップを円滑化する為の、例示的なシステム／装置のメインモジュール及び動作ステップが示されており、ここでは、電気的ＯＲロジックゲートは、ブーストされたバッテリ電力（１５Ｂ）とＰｏＥ入力電力（１５Ａ）間で切り替えを行う。
【００５８】
メディアアダプア
図１６には、本発明のいくつかの実施形態による、ネットワークカメラバックアップを円滑化する為の、例示的なシステム／装置のメインモジュール及び動作ステップが示されており、ここでは、メディアコンバータが、システム通信をケーブルメディアから他へ切り替える為に用いられる。
【００５９】
動作フロー
図１７には、本発明のいくつかの実施形態による、ネットワークカメラバックアップを円滑化する為の、例示的なシステム／装置のメイン方法動作ステップが示されている。
【００６０】
システム構成
図１８には、本発明のいくつかの実施形態による、ネットワークカメラバックアップを円滑化する為の例示的なシステム構成のメインモジュール、構成部品及び関連性が示されている。
【００６１】
本発明のいくつかの実施形態によれば、映像カメラバックアプ装置は、電力ラインの動作不能電力状態（ＩＥＰＣ）を検出する為のカメラ電力ライン監視回路と、動作不能電力状態（ＩＥＰＣ）が検出されるとカメラへ電力を供給するバックアップ電源と、ビデオカメラとビデオパケット受信側間の接続性不良が検出されるとビデオカメラのビデオパケット受信側をエミュレートするように構成されたビデオパケット受信側エミュレータとを備えていても良い。
【００６２】
いくつかの実施形態によれば、動作不能電力状態（ＩＥＰＣ）は、（１）電力停止、及び／又は（２）電力低下からなるグループの１以上の状態を含んでいても良い。いくつかの実施形態によれば、電力ラインは、パワーオーバイーサネット（ＰｏＥ）電力ラインであっても良い。いくつかの実施形態によれば、ＰｏＥ上での電力損失の検出は、ビデオカメラとビデオパケット受信側間での接続性不良を示しても良い。いくつかの実施形態によれば、ＰｏＥ上での電力損失の検出は、ビデオパケットエミュレータにビデオパケット受信側をエミュレートすることを起動させても良い。いくつかの実施形態によれば、受信側エミュレータは、デジタルデータ記憶メディアを備えていても良い。いくつかの実施形態によれば、受信側エミュレータは、接続性不良検出器を備えていても良い。いくつかの実施形態によれば、バックアップ電源は、再充電可能バッテリであっても良く、ＰｏＥラインからの電力が再充電可能バッテリを充電する為に用いられても良い。いくつかの実施形態によれば、補助バックアップ電源が、動作不能電力状態（ＩＥＰＣ）の検出によりカメラへ電力を供給する為の代替のバックアップ電源として動作しても良い。
【００６３】
本発明のいくつかの実施形態によれば、ビデオ監視システムは、１以上のビデオカメラと、１以上のビデオカメラからビデオパケットを受信するビデオパケット受信側と、１以上のビデオパケットとビデオパケット受信側との間に連結され／接続され／存在するビデオカメラバックアップ装置と、を備えていても良く、ビデオカメラバックアップ装置は、（１）カメラ電力ラインの動作不能電力状態（ＩＥＰＣ）を検出する為のカメラ電力ライン監視回路と、（２）動作不能電力状態（ＩＥＰＣ）が検出されるとカメラへ電力を供給するバックアップ電源と、（３）ビデオカメラとビデオパケット受信側間の接続性不良が検出されると前記ビデオカメラの前記ビデオパケット受信側をエミュレートするように構成されたビデオパケット受信側エミュレータとを備えていても良い。
【００６４】
いくつかの実施形態によれば、動作不能電力状態（ＩＥＰＣ）は、（１）電力停止、及び／又は（２）電力低下からなるグループの１以上の状態を含んでいても良い。いくつかの実施形態によれば、電力ラインは、パワーオーバイーサネット（ＰｏＥ）電力ラインであっても良い。いくつかの実施形態によれば、ＰｏＥ上での電力損失の検出は、ビデオカメラとビデオパケット受信側間での接続性不良を示しても良い。いくつかの実施形態によれば、ＰｏＥ上での電力損失の検出は、ビデオパケットエミュレータにビデオパケット受信側をエミュレートすることを起動させても良い。いくつかの実施形態によれば、受信側エミュレータは、デジタルデータ記憶メディアを備えていても良い。いくつかの実施形態によれば、受信側エミュレータは、接続性不良検出器を備えていても良い。
【００６５】
本発明のいくつかの実施形態によれば、端部デバイス電力バックアップ装置は、バックアップバッテリを充電する為のＰｏＥラインと、動作不能電力状態（ＩＥＰＣ）を検出する為のＰｏＥライン監視回路と、動作不能電力状態（ＩＥＰＣ）が検出されるとＰｏＥ経由でＰｏＥ端部デバイスへ電力を供給する前記バックアップバッテリと、を備えていても良い。いくつかの実施形態によれば、装置は、更に、動作不能電力状態（ＩＥＰＣ）が検出されると端部デバイスのパケット受信側をエミュレートするように構成されたパケット受信側エミュレータを備えていても良い。いくつかの実施形態によれば、動作不能電力状態（ＩＥＰＣ）は、（１）電力停止、及び／又は（２）電力低下からなるグループの１以上の状態を含んでいても良い。いくつかの実施形態によれば、ＰｏＥ上での電力損失の検出は、端部デバイスと端部デバイスパケット受信側間での接続性不良を示しても良い。いくつかの実施形態によれば、ＰｏＥ上での電力損失の検出は、パケット受信側エミュレータにパケット受信側をエミュレートすることを起動させても良い。いくつかの実施形態によれば、受信側エミュレータは、デジタルデータ記憶メディアを備えていても良い。本発明のいくつかの実施形態によれば、端部デバイス電力バックアップ装置は、バックアップバッテリを充電する為のＰｏＥラインと、動作不能電力状態（ＩＥＰＣ）を検出する為のＰｏＥライン監視回路と、バックアップの電圧を繰り返しブーストする為のバッテリ電圧ブースタと、動作不能電力状態（ＩＥＰＣ）が検出されると、ＰｏＥラインの入力電力からバックアップバッテリのブーストされた電力へ切り替える為の電気ＯＲロジックゲートと、を備えていても良い。
【００６６】
本明細書において本発明の特徴が説明され記述されてきたけれども、当業者であれば、多くの部分的修正、代替、変更、及び等価なものを想起するであろう。したがって、添付の特許請求の範囲は、本発明の真の精神の範囲に入る限り、そのような部分的修正や変更の全てをカバーすることを意図するものであることが理解されることになる。
【図１】
2016504814.tif 000003
【図２】
2016504814.tif 000004
【図３】
2016504814.tif 000005
【図４】
2016504814.tif 000006
【図５】
2016504814.tif 000007
【図６】
2016504814.tif 000008
【図７】
2016504814.tif 000009
【図８】
2016504814.tif 000010
【図９】
2016504814.tif 000011
【図１０】
2016504814.tif 000012
【図１１】
2016504814.tif 000013
【図１２】
2016504814.tif 000014
【図１３】
2016504814.tif 000015
【図１４】
2016504814.tif 000016
【図１５Ａ】
2016504814.tif 000017
【図１５Ｂ】
2016504814.tif 000018
【図１６】
2016504814.tif 000019
【図１７】
2016504814.tif 000020
【図１８】
2016504814.tif 000021
【国際調査報告】
2016504814.tif 000022
2016504814.tif 000023
2016504814.tif 000024